(57)【要約】【課題】汎用のメディアコンバータを使用しても、光ファイバの露出を抑えて、ユーザが足を引っかけるなどの問題を安価に解消できる光成端箱を提供する。【解決手段】成端箱１００に設けた成端箱側取付部により、光成端箱１００を、別体に形成されている汎用のメディアコンバータ１００背面に取り付ける。これにより、メディアコンバータ１００の背面に光成端箱１００を取り付け、さらに、光成端箱１００側を背後にして壁などに取り付ければ、光成端箱１００から導出され、メディアコンバータ２００に導入する光ファイバ１６０をメディアコンバータ２００の背後に隠すことができる。【選択図】図７
2006145582.tif 000002
【特許請求の範囲】
【請求項１】
光ファイバ同士の接続部及び前記光ファイバの余長を収納する光成端箱であって、
光信号及び電気信号を相互変換する光電変換箱の一面に、当該光成端箱を取り付けるための成端箱側取付部を備えていることを特徴とする光成端箱。
【請求項２】
請求項１記載の光成端箱であって、
前記成端箱側取付部は、前記光電変換箱に設けられた変換箱側取付部と合わさって、取り付けることを特徴とする光成端箱。
【請求項３】
請求項２記載の光成端箱であって、
前記成端箱側取付部は、当該光成端箱内部の一面に立設された凸状部を有し、該凸状部の頂面には挿入穴が形成されていることを特徴とする光成端箱。
【請求項４】
請求項１〜３何れか１項記載の光成端箱であって、
前記光電変換箱の一面に取り付けられる面を除いた全ての面に前記光ファイバの導入口が形成されていることを特徴とする光成端箱。
【請求項５】
請求項４記載の光成端箱であって、
前記導入口から導入した光ファイバを当該光成端箱の一面との間に挟んで結束する結束バンドを通すための一対の貫通穴が前記一面に設けられ、
前記一対の貫通穴は、側面に設けられた一導入口を通り、当該一導入口への導入方向に延びる第１の直線と、前記一導入口が設けられた側面と隣接した側面に設けられた他の導入口を通り、当該他の導入口への導入方向に延びる第２の直線とが交わる点に、前記一対の貫通穴間の中心が位置し、かつ、貫通穴間方向が第１及び第２の直線の何れとも平行にならないように、設けられていることを特徴とする光成端箱。
【発明の詳細な説明】
【技術分野】
【０００１】
本発明は、光成端部に係り、特に、光ファイバ同士の接続部及び前記光ファイバの余長を収納する光成端箱に関するものである。
【背景技術】
【０００２】
近年、マンションなどの集合住宅や家庭でのＦＴＴＨ（Fiber to the Home）の導入が進展している。図９は上述したＦＴＴＨシステム１の一例を示す図である。２はインターネット、３はプロバイダ、４は光ファイバ網、５は家庭である。家庭５内には、パソコン５１の他に光成端箱５２、メディアコンバータ５３が備えてある。
【０００３】
上述した光成端箱５２には、家庭５にまで届いているドロップ光ファイバケーブル５４が接続されている。光成端箱５２とメディアコンバータ５３との間は、光ファイバコード５５で接続されている。また、メディアコンバータ５３とパソコン５１との間は、電気ケーブル５６で接続されている。
【０００４】
光成端箱５２は、家庭５にまで届いているドロップ光ファイバケーブル５４に、コネクタ付きの光ファイバコード５５を接続して成端化するためのものであり、その接続部と、光ファイバの余長とが収容される。メディアコンバータ５３は、光ファイバコード５５を介して入力してきた光信号を電気信号に変換する機能及び電気ケーブル５６を介して入力してきた電気信号を光信号に変換する機能を有する。
【０００５】
上述した光成端箱５２は、例えば特許文献１〜３に示すように、メディアコンバータ５３とは独立して設けられいる。このため光成端箱５２は、図９に示すように、壁などにメディアコンバータ５３と並列に設けられることが多く、光成端箱５２から導出され、メディアコンバータ５３に導入される光ファイバコード５５の露出部分が多くなってしまう。そのため、サービス運用中において、ユーザが足を引っかけて光ファイバコード５５を断線させるなどの障害が発生するという問題があった。
【０００６】
そこで、このような問題を解決するために、メディアコンバータ５３の底面に接続部とファイバの余長分を収容する光成端箱５２を一体に形成するものが提案されている（例えば特許文献４）。しかしながら、この場合、光成端箱５２とは別体の汎用のメディアコンバータ５３を使用することができず、コスト的に問題が生じてしまう。
【０００７】
また、光成端箱への光ファイバケーブル５４の導入口が通常１〜２箇所しかないためケーブル導入方向が制限されてしまい、集合住宅など十分なスペースがない場合には成端に支障が発生する場合があった。
【特許文献１】特開２００１−１９６７６１号公報
【特許文献２】特開２０００−１８０６３７号公報
【特許文献３】特開２００１−１９４５３６号公報
【特許文献４】特開２００３−２７９７５４号公報
【発明の開示】
【発明が解決しようとする課題】
【０００８】
そこで、本発明は、上記のような問題点に着目し、汎用のメディアコンバータを使用しても、光ファイバの露出を抑えて、ユーザが足を引っかけるなどの問題を安価に解消できる光成端箱を提供することを課題とする。
【課題を解決するための手段】
【０００９】
請求項１記載の発明は、光ファイバ同士の接続部及び前記光ファイバの余長を収納する光成端箱であって、光信号及び電気信号を相互変換する光電変換箱の一面に、当該光成端箱を取り付けるための成端箱側取付部を備えていることを特徴とする光成端箱に存する。
【００１０】
請求項１記載の発明によれば、成端箱側取付部により、光成端箱を別体に形成されている汎用の光電変換箱一面に取り付けることができる。従って、光電変換箱の一面に光成端箱を取り付け、さらに、光成端箱側を背後にして壁などに取り付ければ、光成端箱から導出され、光電変換箱に導入する光ファイバを光電変換箱の背後に隠すことができる。
【００１１】
請求項２記載の発明は、請求項１記載の光成端箱であって、前記成端箱側取付部は、前記光電変換箱に設けられた変換箱側取付部と合わさって、取り付けることを特徴とする光成端箱に存する。
【００１２】
請求項２記載の発明によれば、壁掛けタイプの光電変換箱には壁に取り付けるための変換箱側取付部が設けられていることに着目して、成端箱側取付部が光電変換箱に設けられた変換箱側取付部と合わさって取り付けられる。従って、光電変換箱に設けられた変換箱側取付部を利用して取り付けることができる。
【００１３】
請求項３記載の発明は、請求項２記載の光成端箱であって、前記成端箱側取付部は、当該光成端箱内部の一面に立設された凸状部を有し、該凸状部の頂面には挿入穴が形成されていることを特徴とする光成端箱に存する。
【００１４】
請求項３記載の発明によれば、光成端箱側取付部が、光成端箱内部の一面に立設された凸状部を有する。凸状部の頂面には挿入穴が形成されている。以上の構成によれば、ネジなどの棒状体を挿入穴に挿入して、光成端箱に取り付ければ、棒状体に引っかけ穴を引っかけて壁に取り付けるタイプの光電変換箱に取り付けることができる。また、光電変換箱の一面を挿入穴にネジ止めすれば、ネジ止めタイプの光電変換箱にも取り付けることができる。
【００１５】
請求項４記載の発明は、請求項１〜３何れか１項記載の光成端箱であって、前記光電変換箱の一面に取り付けられる面を除いた全ての面に前記光ファイバの導入口が形成されていることを特徴とする光成端箱に存する。
【００１６】
請求項４記載の発明によれば、光電変換箱の一面に取り付けられる面を除いた全ての面に光ファイバの導入口が形成されている。従って、全ての面から光ファイバを導入することができる。
【００１７】
請求項５記載の発明は、請求項４記載の光成端箱であって、前記導入口から導入した光ファイバを当該光成端箱の一面との間に挟んで結束する結束バンドを通すための一対の貫通穴が前記一面に設けられ、前記一対の貫通穴は、側面に設けられた一導入口を通り、当該一導入口への導入方向に延びる第１の直線と、前記一導入口が設けられた側面と隣接した側面に設けられた他の導入口を通り、当該他の導入口への導入方向に延びる第２の直線とが交わる点に、前記一対の貫通穴間の中心が位置し、かつ、貫通穴間方向が第１及び第２の直線の何れとも平行にならないように、設けられていることを特徴とする光成端箱に存する。
【００１８】
請求項５記載の発明によれば、導入口から導入した光ファイバを光成端箱の一面との間に挟んで結束する結束バンドを通すための一対の貫通穴が一面に設けられている。一対の貫通穴は、側面に設けられた一導入口を通り、当該一導入口への導入方向に延びる第１の直線と、一導入口が設けられた側面と隣接した側面に設けられた他の導入口を通り、当該他の導入口への導入方向に延びる第２の直線とが交わる点に、一対の貫通穴間の中心が位置し、かつ、貫通穴間方向が第１及び第２の直線の何れとも平行にならないように、設けられている。
【００１９】
以上のように、一対の貫通穴を設けることにより、光ファイバを一導入口から導入した場合でも、他導入口から導入した場合でも、一対の貫通穴に通した結束バンドにより光ファイバを結束することができ、一導入口用と他導入口用と別々に貫通穴を設ける必要がない。
【発明の効果】
【００２０】
以上説明したように請求項１記載の発明によれば、光電変換箱の一面に光成端箱を取り付け、さらに、光成端箱側を背後にして壁などに取り付ければ、光成端箱から導出され、光電変換箱に導入する光ファイバを光電変換箱の背後に隠すことができるので、汎用の光電変換箱を使用しても、光ファイバの露出を抑えて、ユーザが足を引っかけるなどの問題を安価に解消できる光成端箱を得ることができる。
【００２１】
請求項２記載の発明によれば、光電変換箱に設けられた変換箱側取付部を利用して取り付けることができるので、しっかりと取り付けることができる光成端箱を得ることができる。
【００２２】
請求項３記載の発明によれば、ネジなどの棒状体を挿入穴に挿入して、光成端箱に取り付ければ、棒状体に引っかけ穴を引っかけて壁に取り付けるタイプの光電変換箱に取り付けることができる。また、光電変換箱の一面を挿入穴にネジ止めすれば、ネジ止めタイプの光電変換箱にも取り付けることができ、コストダウンを図った光成端箱を得ることができる。
【００２３】
請求項４記載の発明によれば、全ての面から光ファイバを導入することができるので、導入方向が制限されてしまうことがない光成端箱を得ることができる。
【００２４】
請求項５記載の発明によれば、一対の貫通穴を設けることにより、光ファイバを一導入口から導入した場合でも、他導入口から導入した場合でも、一対の貫通穴に通した結束バンドにより光ファイバを結束することができ、一導入口用と他導入口用と別々に貫通穴を設ける必要がないので、コストダウンを図った光成端箱を得ることができる。
【発明を実施するための最良の形態】
【００２５】
以下、本発明について図面を参照して説明する。光成端箱は、正面が開口している受け皿状の光成端箱本体と、その本体開口部を塞ぐ蓋体とから構成されている。図１（ａ）〜（ｅ）は各々、本発明の光成端箱１００を構成する光成端箱本体１１０の正面図、左側面図、右側面図、上側面図及び下側面図を示す図である。図２は、本発明の光成端箱を構成する蓋体１２０の正面図である。
【００２６】
本実施形態の光成端箱１００は、家庭にまで届いているドロップ光ファイバケーブル１３０（＝光ファイバ）と、一端に光コネクタ１３１ａが設けられた光ファイバコード１３１の他端との接続部及び光ファイバコード１３１の余長を収納するための箱である。同図に示すように、光成端箱本体１１０の左右、上下４側面には各々ドロップ光ファイバケーブル１３０を導入するための導入口１１１Ｌ、１１１Ｒ、１１１Ｕ、１１１Ｄが設けられている。また、背面にもドロップ光ファイバケーブル１３０を導入するための導入口１１１Ｂが２カ所設けられている。
【００２７】
上述した構成によれば、メディアコンバータ（＝光電変換箱）の背面（＝一面）に取り付けられる正面を除いた全ての面にドロップ光ファイバケーブル１３０の導入口１１１Ｌ、１１１Ｒ、１１１Ｕ、１１１Ｄ、１１１Ｂが設けられている。これにより、左右、上下４側面、さらに背面からもドロップ光ファイバケーブル１３０を導入することができ、ドロップ光ファイバケーブル１３０の光成端箱１００内への導入方向が制限されることがない。
【００２８】
光成端箱１００の背面には、導入口１１１Ｌ、１１１Ｒ、１１１Ｕ、１１１Ｄ、１１１Ｂから導入してきたドロップ光ファイバケーブル１３０を、インシュロック１１８（＝結束バンド）で背面との間に挟んで結束することにより、保持する保持部１１２と、ドロップ光ファイバケーブル１３０と光ファイバコード１３１との接続部を補強する補強熱スリーブ１３２を挟んで保持する接続部収容部１１３とが設けられている。
【００２９】
上述した保持部１１２は、図３（ａ）に示すように、上述したインシュロック１１８を通すための一対の貫通穴１１２ａ、１１２ｂが２対設けられている。この一対の貫通穴１１２ａ、１１２ｂの配置位置としては、上導入口１１１Ｕを通り、上導入口１１１Ｕへの導入方向に延びる第１の直線Ｌ１と、この上導入口１１１Ｕが設けられた側面と隣接した側面に設けられた右導入口１１１Ｒを通り、右導入口１１１Ｒへの導入方向に延びる第２の直線Ｌ２とが交わる点に、一対の貫通穴１１２ａ、１１２ｂ間中心Ｃが位置し、かつ、貫通穴間方向Ｙ１、Ｙ２が第１及び第２の直線Ｌ１、Ｌ２の何れとも平行にならない位置に配置されている。
【００３０】
以上のように貫通穴１１２ａ、１１２ｂを設けることにより、光ファイバケーブル１３０を上導入口１１１Ｕから導入した場合でも、右導入口１１１Ｒから導入した場合でも、一対の貫通穴１１２ａ、１１２ｂに通したインシュロック１１８により光ファイバケーブル１３０を結束することができ、上導入口１１１Ｕ用と右導入口１１１Ｒ用と別々に貫通穴１１２ａ、１１２ｂを設ける必要がなく、コストダウンを図ることができる。下導入口１１１Ｄ、左導入口１１１Ｌに対しても同様に、下導入口１１１Ｄから導入した場合でも、左導入口１１１Ｌから導入した場合でも、共通の貫通穴１１２ａ、１１２ｂに通したインシュロック１１８で光ファイバケーブル１３０を結束できるように配置されている。また、光成端箱１００の背面外側には、図３（ｂ）に示すように、インシュロック１１８を収容する収容溝１１２ｃが形成され、背面外側において貫通穴１１２ａ、１１２ｂに通して結束したインシュロック１１８部分が突起せず、外側背面がフラットになるようにしている。
【００３１】
また、光成端箱１００の下側面には、アダプタ１３３を取り付けるためのアダプタ取付穴１１４が設けられている。さらに、光成端箱１００の内部背面には、光ファイバコード１３１の余長処理部１１５と、光成端箱１００を壁に取り付けるための引っかけ穴１１６と、背面中央から正面に向かって立設した中央インサート１１７Ｃと、この中央インサート１１７Ｃの上下に設けられ、正面に向かって立設した上下インサート１１７Ｕ、１１７Ｄが形成されている。
【００３２】
上述したインサート１１７Ｃ、１１７Ｕ、１１７Ｄは、図４に示すように、背面から正面に向かって立設する凸状部であり、その頂面にネジ穴１７ａ（＝挿入穴）が形成されている。なお、中央インサート１１７Ｃは蓋体１２０を光成端部本体１１０に取り付けるためのものであり、上下インサート１１７Ｕ、１１７Ｄは、成端箱側取付部として機能し、後述するメディアコンバータ（＝光電変換箱）の背面に、光成端箱１００を取り付けるために設けられたものである。
【００３３】
また、図２に示すように光成端箱１００を構成する蓋体１２０には、上述した中央、上下インサート１１７Ｃ、１１７Ｕ、１１７Ｄに対向する位置に貫通穴１２０Ｃ、１２０Ｕ、１２０Ｄが形成され、光成端箱本体１１０の正面開口部に蓋体１２０を取り付けた状態であっても、貫通穴１２０Ｃ、１２０Ｕ、１２０Ｄを介して中央、上下インサート１１７Ｃ、１１７Ｕ、１１７Ｄに形成されたネジ穴１１７ａが露出するようになっている。
【００３４】
次に、上述した構成の光成端箱１００への接続部及び余長の収容について以下説明する。まず、ドロップ光ファイバケーブル１３０は、導入口１１１Ｌ、１１１Ｒ、１１１Ｕ、１１１Ｄ、１１１Ｂの何れか１つから光成端箱１００内部に導入されている。本実施形態では、図１に示すように、上側面に設けられた導入口１１１Ｕから導入した場合について説明する。
【００３５】
導入口１１１Ｕから導入されたドロップ光ファイバケーブル１３０は、一対の貫通穴１１２ａ、１１２ｂに通したインシュロック１１８によって結束され、光成端箱１００から外れないようになっている。またドロップ光ファイバケーブル１３０、光ファイバコード１３１の一端は、被覆が削られ、それぞれの光ファイバ心線１３０ａ、１３１ｂが露出している。さらに、光ファイバ心線１３０ａ、１３１ｂの一端も被覆が削除され、ガラス部分が露出されている。
【００３６】
上述した光ファイバ心線１３０ａ、１３１ｂのガラス部分は融着接続やメカニカルスプライスにより接続されている。また、融着接続された接続部は被覆がなくガラスが露出しているため、この接続部に補強熱スリーブ１３２を被せて、熱収縮させて、強さを補強している。この補強熱スリーブ１３２は、接続部収容部１１３に挟まれて保持される。その後、光ファイバコード１３１は余長処理部１１５に沿って巻き付けられて、余長処理された後、一端に設けられた光コネクタ１３１ａがアダプタ１３３にコネクタ接続される。
【００３７】
上述したように接続部収納及び余長処理が行われた後、図２に示す蓋体１２０を光成端箱本体１１０の正面開口部に被せ、ネジ（図示せず）を蓋体１２０の貫通孔１２０Ｃを貫通させて、中央インサート１１７Ｃのネジ穴１１７ａに挿入して、ネジ止めすることにより、蓋体１２０を光成端箱本体１１０に取り付ける。
【００３８】
上述した光成端箱１００とメディアコンバータとの接続は両端に光コネクタが設けられた接続光ファイバを用いて行われる。詳しくは、接続光ファイバの一端に設けられた光コネクタを光成端箱１００に設けたアダプタ１３３に接続し、他端に設けられた光コネクタをメディアコンバータに接続する。
【００３９】
次に、上述した構成の光成端箱１００のメディアコンバータ一面への取付について説明する。メディアコンバータとしては、壁にねじ込まれたネジなどの突起物に引っかけるタイプのものについて説明する。このようなタイプのメディアコンバータ２００には、図５に示すように、その背面に引っかけ穴２０１（＝変換箱側取付部）が設けられている。
【００４０】
同図に示すように、この引っかけ穴２０１は、ネジ頭が挿入できる程度の大きさのネジ頭用挿入部２０１ａと、ネジ頭部より小さく、かつ、ネジ軸部が挿入できる程度の大きさのネジ軸挿入部２０１ｂとが連通した状態で形成されている。このような引っかけタイプのメディアコンバータ２００に対しては、図６に示すように、予めネジ１５０を、上下インサート１１７Ｕ、１１７Ｄのネジ穴１７ａにねじ込んで光成端箱１００に取り付けておく。
【００４１】
その後、メディアコンバータ２００の引っかけ穴２０１のネジ頭挿入部２０１ａからネジ１５０のネジ頭１５０ａを挿入し、メディアコンバータ２００をスライドしてネジ軸挿入部２０１ｂにネジ軸１５０ｂを挿入する。これにより、メディアコンバータ２００の引っかけ穴２０１からネジ１５０が抜け落ちることなく、メディアコンバータ２００の背面に光成端箱１００を取り付けることができる。そして、図７に示すように、メディアコンバータ２００の背面に光成端箱１００を取り付けた状態で、光成端箱１００背面に設けた引っかけ穴１１６（図１参照）を、壁に設けたネジに引っかけて取り付ける。
【００４２】
また、メディアコンバータ２００として、背面を壁にネジ止めするタイプのものについて説明する。このようなタイプのメディアコンバータ２００には、図８に示すように、その背面にネジ軸挿入穴２０２（＝変換箱側取付部）が設けられている。このネジ軸挿入穴２０２は、ネジ頭１５０ａより小さく、かつ、ネジ軸１５０ｂが挿入できる程度の大きさである。
【００４３】
このようなネジ止めタイプのメディアコンバータ２００の場合、予めネジ１５０をメディアコンバータ２００のネジ軸挿入穴２０２に挿入した状態で、上下インサート１１７Ｕ、１１７Ｄのネジ穴１１７ａにねじ込んで光成端箱１００を取り付ける。この場合も、図７に示すように、メディアコンバータ２００の背面に光成端箱１００を取り付けた状態で、光成端箱１００背面に設けた引っかけ穴１１６を、壁に設けたネジに引っかけて取り付ける。
【００４４】
上述したように光成端箱１００によれば、上下インサート１１７Ｕ、１１７Ｄにより、光成端箱１００と別体に形成されている汎用のメディアコンバータ２００の背面に取り付けることができる。これにより、図７（ｂ）に示すように、光成端箱１００から導出され、メディアコンバータ２００に導入する両端コネクタ付き光ファイバ１６０をメディアコンバータ２００の背後に隠すことができ、汎用のメディアコンバータ２００を使用しても、光ファイバ１６０の露出を抑えて、ユーザが足を引っかけるなどの問題を安価に解消できる。
【００４５】
また、頂面にネジ穴１１７ａが形成されたインサート１１７Ｕ、１１７Ｄを成端箱側取付部とすることにより、図６に示すような引っかけタイプのメディアコンバータ２００でも、図８に示すようなネジ止めタイプのメディアコンバータ２００にも取り付けることができる。
【００４６】
なお、上述した実施形態では、汎用のメディアコンバータ２００に設けてある引っかけ穴２０１や、ネジ軸挿入穴２０２などのコンバータ側取付部を利用して、光成端箱１００をメディアコンバータ２００の背面に取り付けていた。しかしながら、メディアコンバータ２００の引っかけ穴２０１やネジ軸挿入穴２０２などを使わずに単に、光成端部１００に、メディアコンバータ２００の背面からメディアコンバータ２００を把持して取り付けるような取付部を持たせることも考えられる。しかしながら、この場合、取付部の構造自体が大きくなってしまうし、取付自体も弱いものとなる可能性がある。このため、本実施形態のように、コンバータ側取付部を利用して取り付けるものの方が望ましい。
【００４７】
また、上述した実施形態では、インサート１１７Ｕ、１１７Ｄの頂面に形成したネジ穴１１７ａに、ネジ穴１１７ａにネジを挿入することにより、メディアコンバータ２００を取り付けていた。しかしながら、例えば、頂面に単なる挿入穴を形成し、その挿入穴に棒状体を圧入することにより、メディアコンバータ２００を取り付けることも考えられる。
【００４８】
また、上述した実施形態では、導入口１１１Ｕからドロップ光ファイバケーブル１３０を導入して、図面右上に設けた保持部１１２で保持していた。しかしながら、導入口１１１Ｒからドロップ光ファイバケーブル１３０を導入してもよく、この場合も、保持部１１２で保持する。また、導入口１１１Ｄ又は１１１Ｌから導入する場合は、図面左下の保持部１１２で保持する。さらに、導入口１１１Ｂから導入する場合は、この導入口１１１Ｂ近傍に設けられた図面右下、左上にある保持部１１２で保持する。
【図面の簡単な説明】
【００４９】
【図１】（ａ）〜（ｅ）は各々、本発明の光成端箱を構成する光成端箱本体１１０の正面図、左側面図、右側面図、上側面図及び下側面図を示す図である。
【図２】本発明の光成端箱を構成する蓋体１２０の正面図である。
【図３】保持部１１２を構成する貫通穴１１２ａ及び１１２ｂの配置位置について説明するための図である。
【図４】図１の光成端箱本体１１０を構成する中央、上下インサート１１７Ｃ、１１７Ｕ、１１７Ｄの部分断面図である。
【図５】汎用のメディアコンバータ２００の一例を示す背面斜視図である。
【図６】壁引っかけタイプのメディアコンバータ２００の背面への光成端箱１００の取付を説明するための図である。
【図７】（ａ）及び（ｂ）はそれぞれメディアコンバータ２００の背面に光成端箱１００を取り付けた状態での正面斜示図及び背面図である。
【図８】ネジ止めタイプの汎用のメディアコンバータ２００の一例を示す背面図である。
【図９】ＦＴＴＨシステム１の一例を示す図である。
【符号の説明】
【００５０】
１００    光成端箱
１１１Ｒ  導入口
１１１Ｌ  導入口
１１１Ｕ  導入口
１１１Ｄ  導入口
１１１Ｂ  導入口
１１２    保持部
１１２ａ  一対の貫通穴
１１２ｂ  一対の貫通穴
１１７Ｕ  インサート（成端箱側取付部、凸状部）
１１７Ｄ  インサート（成端箱側取付部、凸状部）
１１７ａ  ネジ穴（挿入穴）
１３０    ドロップ光ファイバケーブル（光ファイバ）
１３１    光ファイバコード（光ファイバ）
２００    メディアコンバータ（光電変換箱）
２０１    引っかけ穴（変換箱側取付部）
２０２    ネジ軸挿入穴（変換箱側取付部）
Ｌ１      第１の直線
Ｌ２      第２の直線
【図１】
2006145582.tif 000003
【図２】
2006145582.tif 000004
【図３】
2006145582.tif 000005
【図４】
2006145582.tif 000006
【図５】
2006145582.tif 000007
【図６】
2006145582.tif 000008
【図７】
2006145582.tif 000009
【図８】
2006145582.tif 000010
【図９】
2006145582.tif 000011